(57)【特許請求の範囲】
【請求項１】
先端に石突を設けた中棒と、
前記中棒の先端近傍に回動連結した複数の親骨及び当該親骨にそれぞれ回動連結した複数の受骨からなる骨組み部と、
前記中棒の手元端近傍から当該中棒に沿ってスライドすると共に前記受骨を回動可能に軸止したランナーと、
前記骨組み部に張られた膜体と、
前記中棒の手元端及び先端の石突の両方に着脱可能なハンドルと、
を備え、
前記中棒の手元端は、前記親骨の半開状態において傘の長手方向で前記親骨より短くなり、且つ、前記ランナーは、前記親骨の当該半開状態で位置を保持する保持手段を有することを特徴とする傘。
【請求項２】
更に、前記中棒の手元端及び／又は先端の石突と前記ハンドルとは、挿入部と挿入部に係止して挿入状態を維持する係止部とからなる着脱構造を備えたものであることを特徴とする請求項１に記載の傘。
【請求項３】
前記保持手段は、親骨を完全に閉じた状態を保持する第一下ハジキと、親骨を半開き状態に保持する第二下ハジキとを中棒に有し、前記第一下ハジキ及び第二下ハジキは、前記中棒の手元端側に設けられたボタンと当該中棒の内部でロッドにより連結し、前記第一下ハジキ及び第二下ハジキは、前記ランナーに設けた長穴に係合するものであることを特徴とする請求項１又は２に記載の傘。
【請求項４】
前記保持手段は、小径の円盤状部材及びスリーブ部分が中棒のランナーより先端側にスライド可能に設けられ、前記中棒は前記円盤状部材及びスリーブ部分の中央を貫通しており、前記スリーブ部分には固定ボタンが設けられ、前記中棒側に前記固定ボタンと連動してその位置を固定するプッシャが設けられたものであることを特徴とする請求項１又は２に記載の傘。
【発明の詳細な説明】
【技術分野】
【０００１】
本発明は、傘をさすときにユーザが持つハンドルを着脱可能とした傘に関するものである。
【背景技術】
【０００２】
従来から非特許文献１に開示されているような自立する傘が知られている。この傘は、中棒の先端に三脚状のスタンドが設けられている。このスタンドは樹脂製の一体成型物であり、中棒の先端に固定されている。ユーザは、前記スタンドを地面に対してそっと置くことで傘を立てることができる。
【先行技術文献】
【特許文献】
【０００３】
【非特許文献１】エヴリカ、“Ｓｔａｎｄ  Ｕｍｂｒｅｌｌａ”、［online］［平成２３年９月１０日検索］、インターネット＜URL：http://evrica.jp/100percent/umbrella/＞
【発明の概要】
【発明が解決しようとする課題】
【０００４】
しかしながら、上記従来の傘では、スタンドが樹脂製の一体成形体であるため、スタンド自体が大きくなってしまうという問題点があった。また、ハンドルの重量により重心が高くなるため、傘を立てても不安定で倒れやすいという問題点があった。この発明は、かかる問題点を解決するためになされたものである。
【課題を解決するための手段】
【０００５】
第１の発明に係る傘は、先端に石突を設けた中棒と、前記中棒の先端近傍に回動連結した複数の親骨及び当該親骨にそれぞれ回動連結した複数の受骨からなる骨組み部と、前記中棒の手元端近傍から当該中棒に沿ってスライドすると共に前記受骨を回動可能に軸止したランナーと、前記骨組み部に張られた膜体と、前記中棒の手元端及び先端の石突の両方に着脱可能なハンドルとを備えたことを特徴とする。
【０００６】
第２の発明に係る傘は、上記発明において、更に、前記中棒の手元端及び／又は先端の石突と前記ハンドルとは、挿入部と挿入部に係止して挿入状態を維持する係止部とからなる着脱構造を備えたものであることを特徴とする。
【０００７】
第３の発明に係る傘は、上記発明において、更に、前記中棒の手元端は、前記親骨を閉じた状態において傘の長手方向で前記親骨より短くなることを特徴とする。
【０００８】
第４の発明に係る傘は、上記発明において、前記ランナーは、前記親骨を半開状態で位置を保持可能であることを特徴とする。
【図面の簡単な説明】
【０００９】
【図１】この発明の実施の形態１に係る傘を示す構成図である。
【図２】図１に示した傘の着脱構造を示す説明図である。
【図３】この傘の使用方法を示す説明図である。
【図４】傘を立てた状態を示す説明図である。
【図５】この傘の変形例を示す説明図である。
【図６】この発明の実施の形態２に係る傘を示す説明図である。
【図７】この発明の実施の形態３に係る傘を示す説明図である。
【図８】図７の一部拡大図である。
【図９】この発明の実施の形態４に係る傘を示す説明図である。
【発明を実施するための形態】
【００１０】
（実施の形態１）
図１は、この発明の実施の形態１に係る傘を示す構成図である。図２は、図１に示した傘の着脱構造を示す説明図である。この傘１００は、先端に石突１を設けた中棒２と、前記中棒２の先端近傍に回動連結した複数の親骨３及び当該親骨３にそれぞれ回動連結した複数の受骨４からなる骨組み部５と、前記中棒２の手元端２ａ近傍から当該中棒２に沿ってスライドすると共に前記受骨４を回動可能に軸止したランナー６と、前記骨組み部５に張られた膜体７と、前記中棒２の手元端２ａ及び先端の石突１の両方に着脱可能なハンドル８とを備えた構成である。
【００１１】
前記ハンドル８と中棒２の手元端２ａとは、ワンタッチジョイント１０により連結される。ワンタッチジョイント１０は、ハンドル８の端部に設けた挿入部１１と、中棒２の手元端２ａに設けた筒状部１２とからなる。筒状部１２の内部には溝１２ａに係合するフック１３が突出しており、このフック１３を解放するスライド筒１４が前記筒状部１２の外側に設けられている。フック１３は、弾性部１３ａにより挿入部１１に付勢されている。スライド筒１４の内側には前記フック１３の端部１３ｂに当接して回動させる斜面１４ａが形成される。スライド筒１４をスライドさせると斜面１４ａにより端部１３ｂが押され、フック１３が回動して溝１２ａとの係合が外れる。これにより、ハンドル８を取り外すことができる。
【００１２】
また、挿入部１１を筒状部１２に挿入すると、フック１３が溝１２ａに係合して挿入部１１が筒状部１２に固定される。なお、当該ワンタッチジョイント１０は、図２に示した例に限定されない。例えば、蛇口にホースを取り付ける際に用いるワンタッチジョイントを用いることができる。
【００１３】
前記石突１及びハンドル８も、前記同様、ワンタッチジョイント１０により着脱可能となる。このワンタッチジョイント１０の構造は、図２に示したものと同じである。即ち、ワンタッチジョイント１０は、ハンドル８の端部に設けた挿入部１１と、石突１に設けた筒状部１２とからなる。筒状部１２の内部にはフック１３が突出しており、このフック１３を解放するスライド筒１４が前記筒状部１２の外側に設けられている（図示省略）。ハンドル８は着脱して用いられるため、前記石突１に設けられているのは、前記筒状部１２である。ワンタッチジョイント１０は当該構造に限定されないのは上記同様である。
【００１４】
前記中棒２の手元端２ａは、前記親骨３を閉じた状態において傘１００の長手方向で前記親骨３より短くなる。図１は半開き状態の傘１００を示すが完全に閉じるとワンタッチジョイント１０（筒状部１２）が親骨３より短くなる。換言すれば、親骨３を閉じた状態で親骨３の露先１５が中棒２の手元端２ａより長くなる。このようにすれば、親骨３を半開き状態にしたとき、露先１５よりも奥に中棒２の手元端２ａ（筒状部１２）が位置して邪魔にならないので、複数の露先１５で傘を自立させられる。より好ましくは、傘１００の自立時に想定される半開き状態において、露先１５よりも中棒２の手元端２ａが短くなる関係にあれば良い。
【００１５】
前記ランナー６は、中棒２の手元端２ａ近傍に設けた下ハジキ１６と、中棒２の上部に設けた上ハジキ１７とに係合する。下ハジキ１６及び上ハジキ１７は、中棒２に内設したバネにより外側に付勢され且つ押圧することで中棒２内に入りランナー６との係合が外れる構造である（図示省略）。
【００１６】
図３は、この傘の使用方法を示す説明図である。この傘１００の通常の使用状態では、ハンドル８が中棒２の手元端２ａに取り付けられている。次に、傘１００を立てる場合、（ａ）に示すように、ハンドル８を中棒２の手元端２ａから外して石突１に取り付ける。そして、下ハジキ１６の係合を解いてランナー６を少し上にスライドさせ、親骨３を半開きにする。これにより、（ｂ）に示すように、傘１００を逆さにして親骨３の露先１５により支持した状態で地面に立てることができる。
【００１７】
図４は、傘を立てた状態を示す説明図である。上記の通り、傘１００を地面に立てるときは、親骨３を半開きにする。半開き状態とは、複数の親骨３により仮想する疑似的な円Ｓの径Ｄが１０ｃｍ〜２５ｃｍ程度になり、略全ての露先１５が地面に接地し（或いは３個以上の露先１５が均等に接地し）、傘全体を安定的に立てることができる状態をいう。この半開き状態で、中棒２の手元端２ａ（ワンタッチジョイント１０の部分）は、露先１５より傘の内側又は同高さに位置するので、露先１５より下に飛び出ることがなく、傘１００を立てるときに邪魔にならない。
【００１８】
なお、傘１００を立てるとき、図４に示すように、ハンドル８を石突１に取り付ける必要はない。ハンドル８を取り外した状態で傘１００を立てるようにすれば、傘１００の重心が下がるので、傘１００を更に安定して自立させられる。また、ハンドル８がない状態であれば、傘１００としての価値が低下するので盗まれる可能性が低くなる。
【００１９】
以上、この発明の傘１００によれば、傘１００を逆さにして露先１５で自立させるため傘１００を安定して立てることができる。また、ハンドル８を取り外して露先１５で自立させる構造のため、大きな部品が不要である。ハンドル８を外した状態で自立させると重心が低くなるのでより安定感が増す。更に、半開きで立てておけるので乾燥させ易い。また、全開しなくても乾燥させられるので場所を取らない。
【００２０】
なお、前記ハンドル８の形状は、フック形状の他、直線的な棒状のものでも良い。また、図５に示すように、中棒２に伸縮構造２０を設けても良い。この伸縮構造２０には、テレスコピック構造やねじ込み構造を採用できる。伸縮構造２０を設けることで、（ａ）に示すように、中棒２の手元端２ａ（ワンタッチジョイント１０）が親骨３を閉じた際に露先１５より長くなっても、（ｂ）に示すように、傘１００を立てる際に前記露先１５より短くできるので、傘１００の自立が可能となると共に、親骨３を閉じた状態でもワンタッチジョイント１０によるハンドル８の着脱操作を簡単にできる。
【００２１】
（実施の形態２）
図６は、この発明の実施の形態２に係る傘を示す説明図である。この傘２００は実施の形態１に記載の傘１００と略同じ構造であるが、親骨３を半開状態で位置を保持可能にした点が異なる。その他は、実施の形態１と同様であるからその説明を省略し、同一構成要素には同一の符号を付する。この傘２００では、中棒２の手元端２ａ近傍に２つの下ハジキ３１，３２が設けられている。第一下ハジキ３１は、親骨３を完全に閉じた状態を保持するためのものである。第二下ハジキ３２は、親骨３を半開き状態に保持するためのものである。第一下ハジキ３１及び第二下ハジキ３２は、中棒２の手元端２ａ側に設けられたボタン３３と当該中棒２の内部で連結している。
【００２２】
前記ボタン３３は、ロッド３４により第一下ハジキ３１及び第二下ハジキ３２と接続され、当該ロッド３４は前記ボタン３３と反対側で支持され、ロッド３４と中棒２の内側面との間にはバネ３５が設けられている。このバネ３５によりロッド３４が中棒２の外側に付勢され、各下ハジキ３１，３２が通常の状態で中棒２から突出した状態となる。第一下ハジキ３１及び第二下ハジキ３２は、ランナー６の同じ長穴６ａに係合する。
【００２３】
第一下ハジキ３１にランナー６の長穴６ａを係合させると、ランナー６が当該第一下ハジキ３１の位置で固定されて親骨３が完全に閉じた状態で保持される。前記ボタン３３を押すことで第一下ハジキ３１が中棒２内に入り前記係合が解かれる。ボタン３３を押し続けたままランナー６をスライドさせると、親骨３が完全に開いて傘１００が展開される。一方、ボタン３３を押して第一下ハジキ３１の係合を外し、第二下ハジキ３２をランナー６の長穴６ａに係合させると、親骨３が半開き状態になって保持される。そして、再びボタン３３を押すと、第二下ハジキ３２とランナー６との係合が解かれ、傘２００を開くことができ或いは閉じることができる。
【００２４】
このように、第二下ハジキ３２により親骨３の半開き状態を保持するようにすれば、傘１００を立てた状態で親骨３が開閉するのを防止し、傘１００を安定的に自立させることができる。また、一つのボタン３３で第一下ハジキ３１及び第二下ハジキ３２を操作できるので、親骨３を完全に閉じる動作と半開きに保持する動作を簡単に行える。
【００２５】
（実施の形態３）
図７は、この発明の実施の形態３に係る傘を示す説明図である。この傘３００は、実施の形態１に記載の傘と略同じ構造であるが、中棒２にランナー６の位置を固定するための円盤状部材４１が設けられている点が異なる。その他は、実施の形態１と同様であるからその説明を省略し、同一構成要素には同一の符号を付する。この傘３００では、小径の円盤状部材４１が中棒２のランナー６より先端側にスライド可能に設けられている。中棒２は前記円盤状部材４１の中央を貫通しており、円盤状部材４１はスリーブ部分４２において固定ボタン４３が設けられる。固定ボタン４３は中棒２側にプッシャ４４が突出してその位置を固定できる構造である。
【００２６】
図８に示すように、固定ボタン４３の裏側にはゴム等の弾性体からなるプッシャ４４が設けられている。固定ボタン４３の側面には穴４５が設けられる。また、スリーブ４２にはスライド式の係合機構４６が設けられる。係合機構４６は中棒２の長手方向にスライドするフック４７と、フック４７を固定ボタン４３側に付勢するスプリング４８とからなる。
【００２７】
ユーザが、親骨３が半開きになるように前記ランナー６を位置させ、このランナー６まで前記円盤状部材４１を移動させる。そして固定ボタン４３を押すことで係合機構４６のフック４７が固定ボタン４３の穴４５に係合し、固定される。固定ボタン４３の裏側には弾性体のプッシャ４４が設けられているので、このプッシャ４４が中棒２を押すことで円盤状部材４１が中棒２の所望の位置で固定される。これにより前記ランナー６が円盤状部材４１によってその動きが規制されるため必要以上に傘３００が開くことが防止される。この結果、親骨３の半開き状態を保持できるので、親骨３が開くのを防止でき、傘３００を安定して自立できるようになる。
【００２８】
（実施の形態４）
図９は、この発明の実施の形態４に係る傘を示す説明図である。この傘４００は、実施の形態１に記載の傘１００と略同じ構造であるが、ランナー６位置を自由に保持できる構造とした点が異なる。その他は、実施の形態１と同様であるからその説明を省略し、同一構成要素には同一の符号を付する。この傘４００では、ランナー６に固定ボタン４３が設けられる。固定ボタン４３は中棒２側にプッシャ４４が突出してその位置を固定できる構造である。
【００２９】
固定ボタン４３の裏側にはゴム等の弾性体からなるプッシャ４４が設けられている。固定ボタン４３の側面には穴４５が設けられる。また、ランナー６にはスライド式の係合機構４６が設けられる。係合機構４６は中棒２の長手方向にスライドするフック４７と、フック４７を固定ボタン４３側に付勢するスプリング４８とからなる。
【００３０】
ユーザが、前記親骨３が半開きになるようにランナー６をスライドさせ、固定ボタン４３を押すことで係合機構４６のフック４７が固定ボタン４３の穴４５に係合し、当該ランナー６が固定される。固定ボタン４３の裏側には弾性体のプッシャ４４が設けられているので、このプッシャ４４が中棒２を押すことでランナー６が中棒２の所望の位置で固定される。これによりランナー６の動きが規制されて必要以上に傘４００が開閉することが防止される。これにより、親骨３の半開き状態が保持されるので、傘４００を安定して自立させることができる。
【００３１】
なお、上記実施の形態において、傘は雨用の傘のみならず、日傘でも良い。また、ハンドル８は、中棒２に対して回転しないようにキーとキー溝をワンタッチジョイント１０に構成しても良い。また、中棒２に対してハンドル８が自在に回転するような構造にしても良い。
【符号の説明】
【００３２】
１００  傘
１  石突
２  中棒
３  親骨
４  受骨
６  ランナー
８  ハンドル
１０  ワンタッチジョイント
【図１】
0005839904.tif 000002
【図２】
0005839904.tif 000003
【図３】
0005839904.tif 000004
【図４】
0005839904.tif 000005
【図５】
0005839904.tif 000006
【図６】
0005839904.tif 000007
【図７】
0005839904.tif 000008
【図８】
0005839904.tif 000009
【図９】
0005839904.tif 000010